(57)【特許請求の範囲】
【請求項１】
ステーション部と，前記ステーション部に分離可能に接続される本体部とを有し，前記本体部が，画像を形成する作像部と，前記作像部へ電力を供給する蓄電部と，前記作像部で使用する消耗材を取り扱う消耗材処理部とを有し，前記ステーション部が，前記蓄電部の充電を行う充電部と，前記消耗材処理部のリフレッシュを行う消耗材リフレッシュ部とを有する画像形成装置において，
前記本体部は，
前記蓄電部の残り蓄電量に基づいて，前記作像部で画像形成可能な残り枚数を算出する第１残り枚数算出部と，
前記消耗材処理部の残り処理可能量に基づいて，前記作像部で画像形成可能な残り枚数を算出する第２残り枚数算出部と，
前記第１残り枚数算出部および前記第２残り枚数算出部が算出した残り枚数のうち少ない方を選択する選択部と，
前記選択部が選択した残り枚数を表示する表示部とを有し，
前記表示部は，前記本体部が前記ステーション部に接続されている状態でも，前記本体部単体で画像形成する場合の残り枚数を表示するものであることを特徴とする画像形成装置。
【請求項２】
請求項１に記載の画像形成装置において，
前記消耗材処理部に，
前記作像部に供給する消耗材を貯蔵する消耗材貯蔵部と，
前記作像部で発生する廃消耗材を収納する廃消耗材収納部とがあり，
前記第２残り枚数算出部は，
前記消耗材貯蔵部の残り貯蔵量に基づく残り枚数と，
前記廃消耗材収納部の残り容量に基づく残り枚数とを算出するものであり，
前記選択部は，前記第１残り枚数算出部および前記第２残り枚数算出部が算出した残り枚数のうち最も少ないものを選択するものであることを特徴とする画像形成装置。
【請求項３】
請求項１または請求項２に記載の画像形成装置において，
前記作像部で使用する消耗材がトナーであり，
テストパターンの形成を行った場合に，テストパターンの形成後の前記蓄電部の残り蓄電量および前記消耗材処理部の残り処理可能量に基づいて，前記第１残り枚数算出部および前記第２残り枚数算出部の算出値および前記選択部の選択を更新する更新部を有することを特徴とする画像形成装置。
【請求項４】
請求項２に記載の画像形成装置において，
前記作像部で使用する消耗材がトナーであり，
用紙ジャムが発生した場合に，そのときの画像形成に供されたトナーの量のすべてを前記廃消耗材収納部の残り容量から差し引くジャム時トナー量処理部と，
用紙ジャムが発生した場合に，用紙ジャムの解消後の前記蓄電部の残り蓄電量，前記消耗材貯蔵部の残り貯蔵量，および前記廃消耗材収納部の残り容量に基づいて，前記第１残り枚数算出部および前記第２残り枚数算出部の算出値および前記選択部の選択を更新する更新部を有することを特徴とする画像形成装置。
【請求項５】
請求項１から請求項４までのいずれか１つに記載の画像形成装置において，
前記ステーション部に，前記作像部へ用紙を供給する給紙部があることを特徴とする画像形成装置。
【発明の詳細な説明】
【技術分野】
【０００１】
本発明は，蓄電部を有して携行可能な画像形成装置に関する。さらに詳細には，携行時の残り使用可能量をより正確に把握できる画像形成装置に関するものである。
【背景技術】
【０００２】
従来より，小型で携行可能な画像形成装置が提案されている。例えば，特許文献１には，充電用のクレイドルを有し，非使用時にクレイドルに縦置きすることによって蓄電部に充電されるようにした画像形成装置が開示されている。この文献に記載の装置では，クレイドルに接点部を設け，画像形成装置をその上におくことにより自動的に接点が接続されるとされている。
【０００３】
また一般に，蓄電部を有して携行可能な各種の装置では，蓄電残量を例えば所定の段階表示等によって表示している。しかし，この段階表示では，処理が可能な残りの回数そのものを具体的には把握できない。これに対して，例えば，特許文献２には，バッテリー残量を規定された装置で，読み取り動作の読み取り可能回数が表示される撮像装置が開示されている。この文献に記載の装置では，画像読み取り条件による消費電気容量を算出して，残り読み取り可能回数を表示することにより，ユーザがバッテリー残量を気にせず，バッテリーをギリギリまで有効に使用できるとされている。
【特許文献１】特開２００４−１２２４８２号公報（図１）
【特許文献２】特開２００３−２１９２４５号公報
【発明の開示】
【発明が解決しようとする課題】
【０００４】
しかしながら，前記した従来の各装置には，次のような問題点があった。特許文献１に記載の装置では，充電時の操作性に優れているものの，蓄電残量等の残り処理可能回数の把握方法に関しては特に記載されていない。
【０００５】
また，特許文献２に記載の装置では，撮像装置のバッテリーについての処理として考案されたものであるため，このままでは画像形成装置に適用することはできない。特に，画像形成装置では，電力のみでなく，記録紙や現像剤等を消費するので，これらの条件を鑑みて残り印字可能枚数を把握できる装置が望まれていた。
【０００６】
本発明は，前記した従来の装置が有する問題点を解決するためになされたものである。すなわちその課題とするところは，蓄電部を有して携行可能な画像形成装置であって，残り処理可能枚数を正確に予測できる画像形成装置を提供することにある。
【課題を解決するための手段】
【０００７】
この課題の解決を目的としてなされた本発明の画像形成装置は，ステーション部と，ステーション部に分離可能に接続される本体部とを有し，本体部が，画像を形成する作像部と，作像部へ電力を供給する蓄電部と，作像部で使用する消耗材を取り扱う消耗材処理部とを有し，ステーション部が，蓄電部の充電を行う充電部と，消耗材処理部のリフレッシュを行う消耗材リフレッシュ部とを有する画像形成装置であって，本体部は，蓄電部の残り蓄電量に基づいて，作像部で画像形成可能な残り枚数を算出する第１残り枚数算出部と，消耗材処理部の残り処理可能量に基づいて，作像部で画像形成可能な残り枚数を算出する第２残り枚数算出部と，第１残り枚数算出部および第２残り枚数算出部が算出した残り枚数のうち少ない方を選択する選択部と，選択部が選択した残り枚数を表示する表示部とを有し，表示部は，本体部がステーション部に接続されている状態でも，本体部単体で画像形成する場合の残り枚数を表示するものであるものである。
【０００８】
本発明の画像形成装置によれば，蓄電部によって供給される電力と，消耗材処理部によって取り扱われる消耗材とを使用して，作像部で画像が形成される。さらに，これらの残量に基づいて，第１残り枚数算出部と第２残り枚数算出部とによってそれぞれ，作像部で画像形成可能な残り枚数が算出される。そして，その少ない方が選択部で選択され，表示部に表示される。従って，画像形成に必要な各条件を考慮して，残り処理可能枚数が正確に予測される。また，ステーション部から取り外して本体部分のみで携行できるので，軽量で取り扱いやすい。また，ステーション部に取り付けているときには，蓄電部が充電され，消耗材処理部がリフレッシュされるので，残り枚数がリセットされる。なお，ここでの消耗材処理部のリフレッシュとは，消耗材貯蔵部への補給と廃消耗材収納部からの回収とを含む。
【０００９】
さらに本発明では，消耗材処理部に，作像部に供給する消耗材を貯蔵する消耗材貯蔵部と，作像部で発生する廃消耗材を収納する廃消耗材収納部とがあることが望ましい。また，第２残り枚数算出部は，消耗材貯蔵部の残り貯蔵量に基づく残り枚数と，廃消耗材収納部の残り容量に基づく残り枚数とを算出するものであることが望ましい。また，選択部は，第１残り枚数算出部および第２残り枚数算出部が算出した残り枚数のうち最も少ないものを選択するものであることが望ましい。このようにすれば，より正確に残り処理可能枚数を予測できる。
【００１０】
さらに本発明では，作像部で使用する消耗材がトナーであり，テストパターンの形成を行った場合に，テストパターンの形成後の蓄電部の残り蓄電量および消耗材処理部の残り処理可能量に基づいて，第１残り枚数算出部および第２残り枚数算出部の算出値および選択部の選択を更新する更新部を有することが望ましい。テストパターンの形成が行われると，消耗材貯蔵部の残りトナーの貯蔵量や廃消耗材収納部の残り容量等が通常とは異なる変化をする。本発明では，テストパターンの形成後に残り枚数の算出値や選択部の選択を更新するので，より正確に残り処理可能枚数を予測できる。
【００１１】
また本発明では，作像部で使用する消耗材がトナーであり，用紙ジャムが発生した場合に，そのときの画像形成に供されたトナーの量のすべてを廃消耗材収納部の残り容量から差し引くジャム時トナー量処理部と，用紙ジャムが発生した場合に，用紙ジャムの解消後の蓄電部の残り蓄電量，消耗材貯蔵部の残り貯蔵量，および廃消耗材収納部の残り容量に基づいて，第１残り枚数算出部および第２残り枚数算出部の算出値および選択部の選択を更新する更新部を有するものであってもよい。用紙ジャムが発生した場合には，画像形成途中のトナーが廃トナーとして処理される。本発明では，ジャム時トナー量処理部を有するので，この廃トナー量が廃消耗材収納部の残り容量から差し引かれる。従って，より正確に残り処理可能枚数を予測できる。
【００１２】
さらに本発明では，ステーション部に，作像部へ用紙を供給する給紙部があることが望ましい。
【発明の効果】
【００１３】
本発明の画像形成装置によれば，蓄電部を有して携行可能な画像形成装置であって，残り処理可能枚数を正確に予測できる。
【発明を実施するための最良の形態】
【００１４】
以下，本発明を具体化した最良の形態について，添付図面を参照しつつ詳細に説明する。本形態は，蓄電部を有する携行可能な本体部と，その蓄電部に接続されて蓄電部を充電できるステーション部とを有するカラープリンタに本発明を適用したものである。
【００１５】
本形態のカラープリンタ１０は，図１〜図３に示すように，本体部１２とステーション部１３とを有している。図２と図３は，本体部１２とステーション部１３との各部分を概略形状で示し，その中に各部の名称を記載したものである。これらの図中で斜線を施した枠によって囲って示しているのが本体部１２に相当し，それ以外の部分がステーション部１３に相当している。この状態では，本体部１２はステーション部１３に接続され，この全体でカラープリンタ１０として機能する。この本体部１２は，ステーション部１３から分離可能にされている。
【００１６】
図２と図３に示すように，本体部１２は，画像形成部２１と蓄電部２２とを有している。このうち，蓄電部２２は本体部１２から着脱可能である。画像形成部２１は，作像部と消耗材処理部とを含むものに相当する。また，ステーション部１３は，排紙部３１，給紙カセット３２，給紙部３３，電源供給部３４，廃トナー回収部３５，消耗品補給部３６を有している。消耗品補給部３６は，図１では，４色それぞれに分けて示している。また，ステーション部１３の前面には，図１に示すように，取り外し可能な排紙トレー３７が取り付けられている。また，給紙カセット３２は，図１に矢印で示す方向にステーション部１３から着脱可能である。
【００１７】
本体部１２の画像形成部２１には，図４にその内部の概略構成を示すように，４色の像担持体４１が中間転写ベルト４２に沿って並べられている。さらに，露光部４３，定着部４４，各色のトナー収納部４５，廃トナー収納部４６，制御部４７を有している。そして，ステーション部１３に取り付けられた状態では，図４に示すように，給紙カセット３２に収納されている記録紙が給紙部３３によって１枚ずつ給紙され，本体部１２によって画像形成された後，排紙部３１から排紙トレー３７上へ排紙される。なお，画像形成のための各構成については，一般的なもので良く，ここでは説明を省略する。また，制御部４７は，各場面ごとに，第１残り枚数算出部，第２残り枚数算出部，選択部，更新部，ジャム時トナー量処理部として機能する。
【００１８】
各色のトナー収納部４５は，画像形成に供されるトナーを収納する部分である。本体部１２がステーション部１３に接続された状態では，各色のトナー収納部４５に収納されているトナーが残り少なくなると，ステーション部１３の消耗品補給部３６から適宜補給される。また，廃トナー収納部４６は，画像形成の各段階において排出された廃トナーを収納する部分である。この廃トナーは基本的には，二次転写後にも転写ベルト４２上に残った転写残りトナーであり，トナー使用量に対する発生割合は，通常状態ではほぼ一定である。本体部１２がステーション部１３に接続された状態では，所定量まで廃トナーが溜まると，ステーション部１３の廃トナー回収部３５に適宜回収される。
【００１９】
蓄電部２２は，本体部１２がステーション部１３に接続された状態では，電源供給部３４によって充電される。また，蓄電部２２のみを本体部１２から取り外してステーション部１３に取り付け，充電することも可能である。また，図４の右下方に示す蓄電部２３は，蓄電部２２と同様の部材であり，交換して使用できるものである。ここで，トナー収納部４５が消耗材貯蔵部に，廃トナー収納部４６が廃消耗材収納部にそれぞれ相当する。また，ステーション部１３の電源供給部３４が充電部に，消耗品補給部３６および廃トナー回収部３５が消耗材リフレッシュ部にそれぞれ相当する。
【００２０】
また，本体部１２は携行可能なプリンタとして機能できるものであり，図５に示すように，ステーション部１３から取り外すことができる。図５では，本体部１２に点ハッチングをして示している。ステーション部１３の排紙部３１は，回転軸３８を中心として図中左方へ約９０度回転することが出来る。こうすると，本体部１２の上部が露出されるので，これを図中上方へ引き上げることにより，図６に示すように，本体部１２が取り外される。本体部１２のみの携行状態では，蓄電部２２に蓄えられている電力によって各部が駆動される。一方，ステーション部１３は，電源コード等を介して外部からの電力の供給を受けている。
【００２１】
本体部１２の画像形成部２１は，図６に示すように，前部２５と後部２６とを有し，これらが軸２７によって互いに回転可能に取りつけられている。また，前部２５と後部２６との間が排紙口２８であり，前部２５の外面（図６中手前面）には，表示部２９が設けられている。この他にもスイッチや各種入力キー等が設けられていても良い。表示部２９には，例えば図７に示すように，残り印字可能枚数が表示される。また，ジャム等のエラーが発生した場合には，例えば「Ｅ」の文字などによりエラーであることが表示される。
【００２２】
本体部１２は，このようにステーション部１３から取り外すと，単体で画像形成を行うことができる。ただしこの場合は，給紙カセット３２や給紙部３３を有していないので，１枚ずつ手差しで用紙を供給する必要がある。また，排紙部３１も取り外されているので，排紙口２８から直接，用紙が排出される。なお，ジャムが発生した場合には，本体部１２の前部２５と後部２６との間を軸２７で回転させることによって開き，ひっかかっている用紙を取り除けばよい。
【００２３】
制御部４７は，本体部１２の全体の制御を行うものである。例えば，画像形成のための各部の処理や，本体部１２に対して画像形成指示を送出する外部装置（ステーション部１３も含む）との通信処理等である。さらに，本体部１２単体での印字処理があと何枚まで可能であるかを予測する残り印字可能枚数算出処理も行う。そして算出された残り印字可能枚数を表示部２９に表示させる。
【００２４】
次に，本体部１２単体での駆動時の残り印字可能枚数の算出方法について説明する。この残り印字可能枚数に関わる条件は，（１）蓄電部２２の残り蓄電量，（２）各色のトナー収容部４５の残りトナー量，（３）廃トナー収納部４６の残り収納可能容量である。用紙は上記のように手差しであり，印字可能枚数の算出には関係しない。従って，（１）〜（３）の各条件の予測残り印字可能枚数をそれぞれ算出し，そのうち最も少ないものを残り印字可能枚数とする。
【００２５】
（１）蓄電部２２の残り蓄電量による予測は，１枚の印字に必要な電力量を予め設定しておくことで行う。満蓄電量から実際に使用した電力量を差し引き，その時点での残り蓄電量を算出する。そして，その残り蓄電量を予め設定してある１枚当たりの電力量で除し，残り印字可能枚数を算出する。なお，実際に使用された電力量の算出は，待機電力も含め常時モニターすることで行う。
【００２６】
（２）各色のトナー収容部４５の残りトナー量による予測は，５％書き込み時のトナー量で行う。すなわち，実際に印字に使用したトナー量を計算して，初期収容量から差し引き，その時点での残りトナー量を４色それぞれについて算出する。そして，その残りトナー量を５％書き込み時のトナー量で除し，残り印字可能枚数を算出する。これを４色それぞれに算出し，そのうち最も少ない残り印字可能枚数を選択する。以下では，特記しない限りカラーモードでの処理を前提としている。なお，「５％書き込み」とは，紙面の面積の５％がトナーで覆われる印字量に相当する。
【００２７】
（３）廃トナー収納部４６の残り収納可能容量による予測は，５％書き込み時の廃トナー量で行う。すなわち，実際に印字した書き込みから廃トナー量を計算して，初期の容量から差し引き，その時点での残り容量を算出する。そして，その残り容量を５％書き込み時の廃トナー量で除し，残り印字可能枚数を算出する。この（１）〜（３）による残り印字可能枚数をすべて算出し，それらのうち最も少ないものを，全体の残り印字可能枚数として選択する。そして選択された残り印字可能枚数を，表示部２９に表示する。
【００２８】
なお，印字中にジャムが発生した場合には，その時点で中間転写ベルト４２に載せられていたトナーはすべて廃トナーとして処理される。そのため，ジャムの発生箇所に応じて，トナー消費量及び廃トナー量を算出し，それまでのトナー消費量及び廃トナー量に加える。また，画質保持のためにテストパターンの形成（記録紙に定着しないもの）を行った場合には，そのために使用したトナーもトナー消費量とし，その全量を廃トナー量とする。従って，これらの非通常事象が発生したら，上記の（１）〜（３）を再度算出し，残り印字可能枚数を更新して表示部２９に表示する。
【００２９】
こうすることで，本体部１２の単体での印字中に，残り印字可能枚数の算出と表示をすることにより，ユーザに残り印字可能枚数を確実に知らせることができる。また，単体で印字中にジャムが発生した場合，残り印字可能枚数が補正されるので，正確な残り印字可能枚数を算出できる。またさらに，単体での印字中に，残り印字可能枚数の表示とともに，その枚数が選択された要因（残り蓄電量，残りトナー量，廃トナーの残り収納可能容量等）を合わせて表示しても良い。
【００３０】
次に，本形態のカラープリンタ１０の本体部１２単体での印字処理について図８と図９のフローチャートを使用して説明する。カラープリンタ１０が本体部１２のみで駆動されると，まず図８に示すように，上記の残り印字可能枚数表示処理を行う（Ｓ１０１）。この処理の詳細な内容については後述する。
【００３１】
そして，出力指示があるまで待機する（Ｓ１０２）。出力指示を受けたら，用紙が挿入されるまで待機する（Ｓ１０３）。用紙が挿入されたら，印字処理を行う（Ｓ１０４）。この印字処理中にジャムが発生したかどうかを判断する（Ｓ１０５）。ジャムが発生しなかった場合は（Ｓ１０５：Ｎｏ），そのままＳ１０７の処理へ進む。
【００３２】
ジャムが発生した場合は（Ｓ１０５：Ｙｅｓ），ジャム時に中間転写ベルト４２に載っていたトナーがすべて廃トナーとなる。そのため，今回の印字に使用したトナー量を廃トナー量に加算する（Ｓ１０６）。最後に，今の印字によって使用された電力量，使用されたトナー量，排出された廃トナー量を算出し，これまでの分に累積する（Ｓ１０７）。さらに，本体部１２の制御部４７は，これらの累積値をそれぞれ記憶して再びＳ１０１へ戻り，残り印字可能枚数表示処理を行って，次の印字指示に備えて待機する。
【００３３】
次に，Ｓ１０１の残り印字可能枚数表示処理について，図９のフローチャートを参照して説明する。この処理が開始されるとまず，記憶されている累積使用電力量と初期蓄電量とから残り蓄電量を算出する（Ｓ２０１）。次に，１枚当たりの使用電力量を上記のように仮定して，この残り蓄電量による残り印刷可能枚数を算出する（Ｓ２０２）。また，各色ごとに，記憶されている累積使用トナー量と初期トナー量とから残りトナー量を算出する（Ｓ２０３）。次に，１枚当たりの使用トナー量を上記のように仮定して，この残りトナー量による残り印刷可能枚数を算出する（Ｓ２０４）。
【００３４】
また，記憶されている累積廃トナー量と廃トナー収納部４６の容量とから残り収納可能廃トナー量を算出する（Ｓ２０５）。そして，１枚当たりの廃トナー量を上記のように仮定して，この残り収納可能廃トナー量による残り印刷可能枚数を算出する（Ｓ２０６）。最後に，Ｓ２０２，Ｓ２０４，Ｓ２０６でそれぞれ算出された残り印刷可能枚数を比較し，最も少ないものを選択して残り印刷可能枚数とする。さらに選択された残り印刷可能枚数を表示部２９に更新して表示する（Ｓ２０７）。以上で，この処理の説明を終了する。
【００３５】
基本的には，１枚印刷すると残り印刷可能枚数は１枚減る。しかし，ジャムが発生した場合，テストプリントやベタ印字等を行った場合等では，残り印刷可能枚数が余計に減ることもある。なお，３種類の残り印刷可能枚数の算出は上記の順序に限らず，すべての結果が得られてから比較し，選択するものとすればよい。
【００３６】
また，本体部１２がステーション部１３に接続された場合には，蓄電部２２が電源供給部３４によって充電される。さらに，トナー収容部４５へは消耗品補給部３６からトナーが補給され，廃トナー収納部４６に収納されている廃トナーは廃トナー回収部３５に回収される。従って，制御部４７に記憶されている各累積値をいずれも初期化する。
【００３７】
また，本体部１２がステーション部１３に接続されている状態でも，本体部１２単体で印字する場合の残り印字可能枚数を表示するようにしても良い。このようにすれば，予め本体部１２の単体で印字できる残り枚数が判るので，本体部１２を取り外して利用するための利便性が向上する。例えば，残り印字可能枚数が０であれば，このまま取り外しても印刷できないことが判る。さらには，そのような表示をするようにした場合でも，各累積値がリセットされた場合には，この表示を行わないようにしても良い。
【００３８】
以上詳細に説明したように本形態のカラープリンタ１０によれば，本体部１２とステーション部１３とを有し，本体部１２をステーション部１３から取り外して携行することができる。本体部１２は，画像形成部２１と蓄電部２２とを有しているので，蓄電部２２の電力を利用して単体で画像形成を行うことができる。さらに，このように単体で駆動されているときには，制御部４７によって残り印字枚数が算出され，表示部２９に表示されるので，予告なく急に印字できなくなるということはない。残り印字枚数の算出には，残り蓄電量，残りトナー量，残り廃トナー収容量が利用され，ジャムが発生した場合には，画像形成途中の使用トナー量を廃トナー収容量として加算する。従って，蓄電部を有して携行可能な画像形成装置であって，残り印刷可能枚数を正確に予測できるカラープリンタ１０となっている。
【００３９】
なお，本形態は単なる例示にすぎず，本発明を何ら限定するものではない。したがって本発明は当然に，その要旨を逸脱しない範囲内で種々の改良，変形が可能である。例えば，本体部１２やステーション部１３の外観形状はこれに限るものではない。本体部１２を横置きとしてもよい。また，本体部１２にも少量の用紙を貯蔵可能なようにしても良い。また例えば，電子写真方式に限らず，インクジェット方式の画像形成装置にも適用できる。インクジェット方式の画像形成装置では，例えばノズルのメンテナンス時に画像形成に供されないインクの使用が発生する。これが，インクジェット方式の画像形成装置での非通常事象に相当する。
【図面の簡単な説明】
【００４０】
【図１】本形態に係るカラープリンタの概略構成を示す斜視図である。
【図２】本形態に係るカラープリンタの概略構成を示すブロック図である。
【図３】本形態に係るカラープリンタの概略構成を示すブロック図である。
【図４】本体部の内部構成を示す説明図である。
【図５】本体部を取り出す様子を示す説明図である。
【図６】本体部を示す外観図である。
【図７】表示部の表示例を示す説明図である。
【図８】カラープリンタの全体動作を示すフローチャートである。
【図９】印字枚数表示処理を示すフローチャートである。
【符号の説明】
【００４１】
１０  カラープリンタ
２１  画像形成部（作像部，消耗材処理部）
２２  蓄電部
２９  表示部
３４  電源供給部（充電部）
３５  廃トナー回収部（消耗材リフレッシュ部）
３６  消耗品補給部（消耗材リフレッシュ部）
４５  トナー収納部（消耗材貯蔵部）
４６  廃トナー収納部（廃消耗材収納部）
４７  制御部（第１残り枚数算出部，第２残り枚数算出部，選択部，更新部，ジャム時トナー量処理部）
【図１】
0004655978.tif 000002
【図２】
0004655978.tif 000003
【図３】
0004655978.tif 000004
【図４】
0004655978.tif 000005
【図５】
0004655978.tif 000006
【図６】
0004655978.tif 000007
【図７】
0004655978.tif 000008
【図８】
0004655978.tif 000009
【図９】
0004655978.tif 000010